(57)【特許請求の範囲】
【請求項１】
光源を実装すると共に、嵌合穴を有する実装基板と、
前記実装基板の前方に設けられ、前記光源の光を反射する反射板と、
前記実装基板および前記反射板を収容して前方に開口すると共に、取付ネジを挿入するための取付ネジ穴を有する器具本体と、
前記反射板の、前方側の面とは反対側の面である裏面に設けられる、前記嵌合穴に嵌合する嵌合凸部と、を備え、
前記嵌合凸部は、
嵌合凸部本体と、
前記嵌合凸部本体の周囲に設けられる、前記反射板の前面側から裏面側に向けて先細りするテーパ部と、
を有し、
かつ、前記嵌合凸部本体の前記器具本体側の面には、前記器具本体の前記取付ネジ穴から挿入される前記取付ネジがねじ込まれるネジ穴が設けられており、
前記反射板の前記嵌合凸部が前記実装基板の前記嵌合穴に挿嵌され、かつ、前記実装基板が前記器具本体の前方側の面に接触した状態で、前記反射板が前記器具本体に固定される照明器具。
【請求項２】
請求項１に記載の照明器具において、
前記反射板の前記嵌合凸部が、前記反射板の外周壁の近傍において、複数個設けられている照明器具。
【請求項３】
請求項１または請求項２に記載の照明器具において、
前記実装基板の前記嵌合穴は多角形であり、
前記反射板の前記嵌合凸部は、前記多角形である嵌合穴に嵌合する多角形の断面を有する照明器具。
【発明の詳細な説明】
【技術分野】
【０００１】
本発明は、例えばＬＥＤを光源として天井施工面に埋設されて、下方の照明に使用される照明器具に関する。
【背景技術】
【０００２】
従来より，ＬＥＤを光源として用い、天井面に埋設されて使用される照明器具が知られている（例えば、特許文献１参照）。
【０００３】
図８に示すように、特許文献１に記載の照明器具１００は、天井に設けられた取付け孔に挿入することで、設置されるダウンライトである。この照明器具１００は、略円筒形状であって下方に開口（開口部１０６）を有する器具本体１０２を有し、内部に光源としてＬＥＤ１０１を複数個実装した実装基板１０７を収容する。
器具本体１０２の上部には、ＬＥＤ１０１に電力を供給する電源装置１０３を有する。電源装置１０３は、アーム部１０４を介して器具本体外周の外側領域に位置するように設けられている。そして、複数の放熱フィン１０５を器具本体１０２の上面に設け、この放熱フィン１０５から略水平にアーム部１０４を結合させて、電源装置１０３を器具本体外周の外側領域に突出するように設けている。
この照明装置１００は、天井面に埋設され、器具本体１０２の開口１０６を天井面から露出するとともに、電源装置１０３等を天井面の裏側に収容する。
【先行技術文献】
【特許文献】
【０００４】
【特許文献１】特開２００８−１５９４５５号公報（図１）
【発明の概要】
【発明が解決しようとする課題】
【０００５】
ところで、前述したような従来の照明器具１００においては、図９に示すように、実装基板１０７の前面に、ＬＥＤ１０１の光を所定の方向へ照射するための反射板１０８を取り付ける場合がある。すなわち、器具本体１０２の裏面側から、実装基板１０７および反射板１０８をネジ１０９で締め付けて取り付ける。
しかしながら、実装基板１０７の前面１０７Ａと、反射板１０８の裏面１０８Ａとが面接触しており、実装基板１０７の前面に反射板１０８を取り付ける際に、反射板１０８の位置決めが面倒であるという問題があった。
【０００６】
本発明は、従来の問題を解決するためになされたものであり、反射板を実装基板に取り付ける際に、容易に位置決めできるとともに、光源を反射板の所定の位置に確実に取り付けることができる照明器具を提供することを目的とする。
【課題を解決するための手段】
【０００７】
本発明の照明器具は、光源を実装すると共に、嵌合穴を有する実装基板と、実装基板の前方に設けられ、光源の光を反射する反射板と、実装基板および反射板を収容して前方に開口すると共に、取付ネジを挿入するための取付ネジ穴を有する器具本体と、反射板の、前方側の面とは反対側の面である裏面に設けられる、嵌合穴に嵌合する嵌合凸部と、を備え、嵌合凸部は、嵌合凸部本体と、嵌合凸部本体の周囲に設けられる、反射板の前面側から裏面側に向けて先細りするテーパ部と、を有し、かつ、嵌合凸部本体の器具本体側の面には、器具本体の取付ネジ穴から挿入される取付ネジがねじ込まれるネジ穴が設けられており、反射板の嵌合凸部が実装基板の嵌合穴に挿嵌され、かつ、実装基板が器具本体の前方側の面に接触した状態で、反射板が器具本体に固定されるものである。
【０００９】
また、本発明の照明器具は、反射板の前記嵌合凸部が、反射板の外周壁の近傍において、複数個設けられているものである。
【００１０】
さらに、本発明の照明器具は、実装基板の嵌合穴は多角形であり、反射板の嵌合凸部は、多角形である嵌合穴に嵌合する多角形の断面を有するものである。
【発明の効果】
【００１１】
本発明は、反射板の裏面に設けた嵌合凸部の外面に、反射板の前面側から裏面側に向けて先細りするテーパを設け、この嵌合凸部を実装基板に設けられた嵌合穴に挿嵌するので、実装基板に対する反射板の相対的位置決めを確実に行うことができ、光源を反射板の所定の位置に容易に位置決めできるという効果を有する照明器具を提供できる。
【図面の簡単な説明】
【００１２】
【図１】本発明に係る第１実施形態の照明器具を上方から見た全体斜視図
【図２】（Ａ）は照明器具の側面図および断面図，（Ｂ）は（Ａ）中Ｂ部分の拡大図
【図３】（Ａ）は実装基板に反射板を取り付けた状態を前方から見た斜視図、（Ｂ）は背面側から見た斜視図
【図４】（Ａ）反射板を背面側から見た斜視図，（Ｂ）は（Ａ）中Ｂ部分の拡大平面図，（Ｃ）は（Ｂ）中Ｃ−Ｃ位置の断面図
【図５】実装基板および反射板を器具本体に取り付けた状態を示す断面図
【図６】第２実施形態にかかる照明器具であり、（Ａ）は実装基板に反射板を取り付けた状態を前方から見た斜視図、（Ｂ）は背面側から見た平面図
【図７】第３実施形態にかかる照明器具であり、（Ａ）は実装基板に反射板を取り付けた状態を前方から見た斜視図、（Ｂ）は背面側から見た平面図
【図８】従来の照明器具の斜視図
【図９】従来の照明器具における問題点を示す断面図
【発明を実施するための形態】
【００１３】
（第１実施形態）
以下、本発明の第１実施形態の照明器具について、図面を用いて説明する。
図１および図２に示すように、本発明に係る実施形態の照明器具１０は、天井１１に設けられた取付穴１２に埋設して下方を照明するダウンライトとして用いることができる。照明器具１０は、器具本体２０と、器具本体２０に収容されたＬＥＤ発光部３０と、枠体４０と、点灯電源装置６０を有する。
【００１４】
器具本体２０は、絶縁性を有する硬質な樹脂材料を用いて天板２１と周板２２（図２（Ｂ）参照）とを有する円筒形状に形成されており、前方（ここでは、下方）に開口している。天板２１の上面には、上方に向けて突出形成されている複数の放熱フィン２３と、ＬＥＤ発光部３０に点灯のための電力を供給する点灯電源装置６０が取り付けられている。点灯電源装置６０は、器具本体２０の天板２１から外側に大きく張り出して設けられており、外部の商用電源に電気的に接続されている。
【００１５】
枠体４０は、器具本体２０の外径寸法と略同一の外径寸法を有する円筒形状に形成されており、器具本体２０の下側に一体的に組み付けられている。枠体４０の内面４１は、例えば楕円や放物面状の曲面に形成されており、ＬＥＤ発光部３０からの光を所定の方向および範囲に反射する。
枠体４０の下端面には、取り付け状態で天井１１の下面に露出する円環状の鍔部４２が一体的に設けられている。また、枠体４０の外周部４３には、複数（ここでは、例えば２個）の取付バネ４４が取り付けられている。
【００１６】
従って、照明器具１０を天井１１の取付穴１２に取り付ける際には、取付バネ４４を器具本体２０の上方（図２（Ａ）中矢印Ａ方向）へ弾性変形させて取付穴１２に挿入する。その後、手を放して取付バネ４４が、弾性力により水平方向（図２（Ａ）中矢印Ｂ方向）へ開くことにより、取付バネ４４の下面と鍔部４２の上面との間に天井１１を挟んで、照明器具１０を天井１１に固定する。
【００１７】
図２に示すように、ＬＥＤ発光部３０は、光源であるＬＥＤ３１と、ＬＥＤ３１が実装される実装基板であるＬＥＤ実装基板３２を有する。
ＬＥＤ実装基板３２は、中心に取り付け用の嵌合穴である貫通穴３２３（図３（Ｂ）参照）が設けられており、熱伝導シート３３を介して器具本体２０の下面に接触する。ＬＥＤ実装基板３２の下側には反射板３４が設けられる。
反射板３４は、ＬＥＤ３１の前方に位置する反射鏡部３４１が、ＬＥＤ３１の個数および配置（図３（Ａ）参照）に対応して設けられており、ＬＥＤ３１の光を下方へ反射する。また、反射板３４の下側には、透光性の前面パネル３５が設けられる。
【００１８】
図３および図４に示すように、反射板３４は、板状の反射板本体３４３および反射板本体３４３の外周縁に沿って立設された外周壁３４２を有し、反射板本体３４３には前述した複数の反射鏡部３４１が設けられている。
反射鏡部３４１は、反射板本体３４３の裏面３４３Ａから後方に向かって全体お椀状に突出して形成されており、頂部にＬＥＤ３１用の切欠き３４１Ａが設けられている。複数の反射鏡部３４１の間であって反射板本体３４３の中心には、裏面３４３Ａから後方へ突出する嵌合凸部であるボス３６が設けられている。
【００１９】
図４（Ｂ）および（Ｃ）に示すように、ボス３６は、円柱状のボス本体３６１と、ボス本体３６１の外周面に設けられたテーパ部としての複数のテーパリブ３６２を有する。ボス本体３６１の上面には、ＬＥＤ実装基板３２および反射板３４を器具本体２０にネジ止め（図５参照、取付けネジ２４）するためのネジ穴３６３が設けられている。また、テーパリブ３６２は、反射板３４の前面側から裏面側に向けて（図４（Ｃ）において上方）先細りする傾斜面を有する。
【００２０】
図５に示すように、ボス３６の高さＨ１は、反射鏡部３４１の高さＨ２よりも高く、且つ、反射鏡部３４１の高さとＬＥＤ実装基板３２の厚さと熱伝導シート３３の厚さとを加えた高さを越えない。
なお、テーパ部は、複数のテーパリブ３６２のように離散的に設けることができるが、円錐台のように連続したテーパ面を設けることもできる。
【００２１】
従って、ＬＥＤ実装基板３２および反射板３４を器具本体２０に取り付ける際には、反射板３４のボス３６をＬＥＤ実装基板３２の貫通穴３２３に挿嵌する。ボス３６の外周に設けられているテーパリブ３６２が貫通穴３２３の内周面に当接し、ボス３６を貫通穴３２３の中心に位置決めする。
【００２２】
そして、反射鏡部３４１の上面がＬＥＤ実装基板３２の下面に当接するまでボス３６を貫通穴３２３に押し込んでから、器具本体２０の取付ネジ穴２５に取付けネジ２４を挿入し、ボス３６のネジ穴３６３にねじ込む。
このとき、ボス３６の高さＨ１は、図５に示すように、反射鏡部３４１の高さＨ２よりも高いので、ボス３６の上部はＬＥＤ実装基板３２の貫通穴３２３に挿嵌される。また、ボス３６の高さＨ１は、反射鏡部３４１の高さＨ２とＬＥＤ実装基板３２の厚さと熱伝導シート３３の厚さとを加えた高さを越えないので、ＬＥＤ実装基板３２および反射板３４は、確実に器具本体２０の下面に接触して取り付けられる。
【００２３】
以上、説明した本発明に係る第１実施形態の照明器具１０によれば、ＬＥＤ３１を実装したＬＥＤ実装基板３２の前方に、ＬＥＤ３１の光を所定の方向へ反射する反射板３４を取り付ける際に、ＬＥＤ実装基板３２に設けられた貫通穴３２３に反射板３４の裏面に設けられたボス３６を嵌合させる。
このとき、ボス３６の外面に設けられ、反射板３４の前面側から裏面側に向けて先細りするテーパリブ３６２を貫通穴３２３に挿嵌するので、ＬＥＤ実装基板３２に対する反射板３４の相対的位置決めを確実に行うことができ、ＬＥＤ３１を反射板３４の所定の位置に容易に位置決めできる。
【００２４】
また、反射板３４のボス３６をＬＥＤ実装基板３２の貫通穴３２３に嵌合した状態でネジ止めするので、ＬＥＤ実装基板３２に対する反射板３４の相対的位置決めを確実に行って、ＬＥＤ３１を反射板３４の所定の位置に容易に固定できる。
【００２５】
（第２実施形態）
以下、本発明の第２実施形態の照明器具１０Ｂについて、図面を用いて説明する。なお、前述した第１実施形態の照明器具１０と共通する部位には同じ符号を付して、重複する説明を省略することとする。
図６（Ａ）および（Ｂ）に示すように、ボス３６は反射板３４の外周壁３４２の近傍に複数個（ここでは、例えば３個）設けられ、これに対応して、ＬＥＤ実装基板３２には複数個の貫通穴３２３が設けられている。
【００２６】
すなわち、ボス３６は、反射板３４の中心ではなく、外周部に設けられているので、ＬＥＤ実装基板３２および反射板３４を器具本体２０に安定して取り付けるためには、少なくとも３個設けるのが望ましい。また、ボス３６および貫通穴３２３の配置を非対称にすることにより、取付け方向を限定することができる。
【００２７】
以上、説明した本発明に係る第２実施形態の照明器具１０Ｂによれば、ボス３６が反射板３４の外周壁３４２の近傍に設けられているので、ボス３６を反射板３４の中心に設けた場合のように中心回りに回転（図６（Ｂ）中矢印Ａ参照）するのを防止して、反射板３４がＬＥＤ実装基板３２に対して位置ずれするのを防止できる。
【００２８】
（第３実施形態）
以下、本発明の第３実施形態の照明器具１０Ｃについて、図面を用いて説明する。なお、前述した第１実施形態の照明器具１０および第２実施形態の照明器具１０Ｂと共通する部位には同じ符号を付して、重複する説明を省略することとする。
図７（Ａ）および（Ｂ）に示すように、反射板３４の中心に設けたボス３６Ｃは、多角形断面を有する。また、ＬＥＤ実装基板３２の中心には、ボス３６Ｃの断面形状に対応して、多角形の貫通穴３２３Ｃが設けられている。
なお、ボス３６Ｃは、外周に前述したテーパリブ３６２（図４（Ｃ）参照）を設けたり、多角形錐台形状とすることができるが、単に多角形断面の柱状とすることもできる。
【００２９】
以上、説明した本発明に係る第３実施形態の照明器具１０Ｃによれば、嵌合穴３２３Ｃおよびボス３６Ｃが多角形断面をしているので、ＬＥＤ実装基板３２に対する反射板３４の相対的位置決めを確実に行うことができ、ＬＥＤ３１を反射板３４の所定の位置に容易に位置決めできる。
【００３０】
なお、本発明の照明器具は、前述した各実施形態に限定されるものでなく、適宜な変形，改良等が可能である。
【符号の説明】
【００３１】
１０、１０Ｂ、１０Ｃ  照明器具
２０  器具本体
２４  取付けネジ
３１  ＬＥＤ（光源）
３２  ＬＥＤ実装基板（実装基板）
３２３，３２３Ｃ  貫通穴（嵌合穴）
３４  反射板
３４２  外周壁
３６，３６Ｃ  ボス（嵌合凸部）
３６２  テーパリブ（テーパ部）
【図１】
0005489345.tif 000002
【図２】
0005489345.tif 000003
【図３】
0005489345.tif 000004
【図４】
0005489345.tif 000005
【図５】
0005489345.tif 000006
【図６】
0005489345.tif 000007
【図７】
0005489345.tif 000008
【図８】
0005489345.tif 000009
【図９】
0005489345.tif 000010